Podtech/llm-jp-corpus-v4-ja_patent huggingface dataset:
【手続補正書】
【提出日】令和3年11月15日(2021.11.15)
【手続補正１】
【補正対象書類名】特許請求の範囲
【補正対象項目名】全文
【補正方法】変更
【補正の内容】
【特許請求の範囲】
【請求項１】
半導体集積回路（ＩＣ）であって、前記ＩＣが、
複数の入力パスおよび出力を備える信号パス結合器であって、前記出力が、前記入力パスの各々で受信されたそれぞれの信号の組み合わせに基づく、信号パス結合器と、
前記信号パス結合器の出力に電気的に接続された入力を有する遅延回路であって、前記遅延回路が、入力信号を可変遅延時間だけ遅延させて遅延信号を出力する、遅延回路と、
前記信号パス結合器の出力と前記遅延信号との比較に基づいて比較出力を提供するように配設された比較回路であって、前記比較出力が、少なくとも１つの軽減回路への比較データ信号内で提供される、比較回路と、
を備える、ＩＣ。
【請求項２】
前記軽減回路が、
（ｉ）通知回路、
（ｉｉ）タイミング遅延測定回路、
（ｉｉｉ）データ伝送回路、
（ｉｖ）ＩＣアンチエージング補償回路、および
（ｖ）故障解析回路、
からなる群からの少なくとも１つの回路である、請求項１に記載のＩＣ。
【請求項３】
前記信号パス結合器が、論理ＸＯＲ結合器、ハミングパリティ結合器、およびマルチプレクサからなる群からの少なくとも１つである、請求項１または請求項２に記載のＩＣ。
【請求項４】
前記信号パス結合器の出力に電気的に接続され、かつ前記信号パス結合器の記憶された出力を前記比較回路への第１の入力として提供するように配設された第１の内部記憶回路と、
前記遅延信号に電気的に接続されかつ前記遅延信号を前記比較回路への第２の入力として提供するように配設された第２の内部記憶回路と、
をさらに備える、請求項１乃至３のいずれか一項に記載のＩＣ。
【請求項５】
前記信号パス結合器が、第１のデータソースから複数の信号を受信するように配設された第１の信号パス結合器であり、前記比較回路が、第１の比較回路であり、前記ＩＣが、
複数の入力パスおよび出力を備える第２の信号パス結合器であって、前記第２の信号パス結合器の出力が、前記入力パスの各々で受信されたそれぞれの信号の組み合わせに基づき、前記信号が、第２のデータソースから受信される、第２の信号パス結合器と、
前記第１の信号パス結合器の出力、前記第２の信号パス結合器の出力、および選択信号を受信し、かつ前記選択信号に基づいて前記第１の信号パス結合器の出力または前記第２の信号パス結合器の出力を選択的に出力するように構成されたマルチプレクサであって、前記マルチプレクサの出力が、前記遅延回路への入力として提供される、マルチプレクサと、
前記第２の信号パス結合器の出力と前記遅延信号との比較に基づいて第２の比較出力を提供するように配設された第２の比較回路と、
入力として前記第１の比較出力および前記第２の比較出力を受信し、かつ出力を前記少なくとも１つの軽減回路への比較データ信号として提供するように配設されたＯＲゲートと、
をさらに備える、請求項１乃至４のいずれか一項に記載のＩＣ。
【請求項６】
前記ＩＣが、
前記第１の比較出力を受信するように配設され、かつ第１のクロック信号によって制御される第１の比較記憶回路と、
前記第２の比較出力を受信するように配設され、かつ第２のクロック信号によって制御される第２の比較記憶回路と、
をさらに備え、
前記第１の比較記憶回路が、前記第１の比較出力を前記ＯＲゲートへの第１の入力として提供するように配設され、前記第２の比較記憶回路が、前記第２の比較出力を前記ＯＲゲートへの第２の入力として提供するように配設される、請求項５に記載のＩＣ。
【請求項７】
前記可変遅延時間が、シグネチャベクトルサイズで除算された前記ＩＣのクロック周期に等しい増分の整数倍に設定され、前記シグネチャベクトルサイズが、１と１００，０００との間にある、請求項１乃至４のいずれか一項に記載のＩＣ。
【請求項８】
半導体集積回路（ＩＣ）を使用するための方法であって、前記方法が、
信号パス結合器で複数の入力パスの各々で受信されたそれぞれの信号を結合して出力を提供することと、
遅延回路で可変遅延時間だけ前記信号パス結合器の出力を遅延させて遅延信号を出力することと、
前記信号パス結合器の出力と前記遅延信号とを比較して比較出力を提供し、前記比較出力を少なくとも１つの軽減回路への比較データ信号内で提供することと、
を備える、方法。
【請求項９】
前記信号パス結合器が、論理ＸＯＲ結合器、ハミングパリティ結合器、およびマルチプレクサからなる群からの少なくとも１つである、請求項８に記載の方法。
【請求項１０】
前記軽減回路が、コンピュータ化されたサーバに電気的に接続されたデータ伝送回路であり、前記方法が、前記コンピュータ化されたサーバで前記比較データ信号の複数のインスタンスを受信することと、前記コンピュータ化されたサーバで前記比較データ信号の故障予測分析を実行することと、前記故障予測分析が事前定義された時間内に前記ＩＣの故障を予測するときに、前記コンピュータ化されたサーバから軽減モジュールに通知を送信することと、をさらに備える、請求項８または請求項９に記載の方法。
【請求項１１】
前記比較データ信号のうちの少なくともいくつかが、
前記可変遅延時間の複数の値で、かつ
前記可変遅延時間の複数の値からの少なくとも１つの値の複数のインスタンスから
生成される、請求項１０に記載の方法。
【請求項１２】
前記故障予測分析が、
機械学習分析、傾向分析、複数オブジェクト追跡分析、および多変量分析のうちの少なくとも１つ、
複数の異なるＩＣから比較データ信号を受信すること、および
複数の異なるＩＣから故障予測分析結果を受信すること
のうちの少なくとも１つを備える、請求項１０または請求項１１に記載の方法。
【請求項１３】
前記信号パス結合器の複数の入力パスの各々が、前記ＩＣ内のそれぞれのデータソースからの信号、メモリ回路からの信号、およびクロックイネーブルによってグループ化された複数の論理回路のうちの１つからの信号、のうちの１つを受信するように構成される、請求項８乃至１２のいずれか一項に記載の方法。
【請求項１４】
前記方法が、前記ＩＣの初期動作で行われ、前記方法が、
前記軽減回路に提供された比較データ信号に基づいて、前記ＩＣについてのタイミング遅延を測定すること
をさらに備える、請求項８乃至１３のいずれか一項に記載の方法。
【請求項１５】
複数の比較出力を提供するために、複数の遅延時間の各々について、結合すること、遅延すること、および比較することのステップを繰り返すことと、
前記複数の比較出力に基づいて前記ＩＣについての識別特性を決定することと、
前記ＩＣについての識別特性における変化を経時的に追跡することと、
をさらに備える、請求項８乃至１４のいずれか一項に記載の方法。
【手続補正書】
【提出日】令和3年11月10日(2021.11.10)
【手続補正１】
【補正対象書類名】特許請求の範囲
【補正対象項目名】全文
【補正方法】変更
【補正の内容】
【特許請求の範囲】
【請求項１】
抗真菌剤およびＮＳＡＩＤを含有し、水相と油相を有するエマルションであって、（ａ）ＮＳＡＩＤが、０．１〜０．５重量％の濃度のジクロフェナク、０．１〜０．４重量％の濃度のインドメタシン、１〜５重量％の濃度のナプロキセン、０．５〜２．５重量％の濃度のイブプロフェン、０．２５〜１．２５重量％の濃度のデキシブプロフェン、０．２５〜１．２５重量％の濃度のケトプロフェン、０．５〜４重量％の濃度のメフェナム酸、または、０．０２〜０．０４重量％の濃度のロルノキシカムであって、ＮＳＡＩＤが塩の形態で存在し、（ｂ）該エマルションにおける、油相に対する水相の重量比が、２．０〜２．７であり、および、（ｃ）エマルションのｐＨ値が、６．５〜８．５、好ましくは７．０〜８．０の範囲であることを特徴とする、エマルション。
【請求項２】
軟膏またはクリームの形態であることを特徴とする、請求項１に記載のエマルション。
【請求項３】
エマルションが半固体であることを特徴とする、請求項１または２に記載のエマルション。
【請求項４】
抗真菌剤が、ナイスタチン、シクロピロクスまたはシクロピロクスオラミン、または、アゾールの群、好ましくはクロトリマゾール、フルコナゾール、ミコナゾール、イトラコナゾール、チオコナゾール、ボリコナゾール、ビホナゾール、エコナゾール、イソコナゾール、フェンチコナゾール、セルタコナゾール、ケトコナゾール、ポサコナゾール、キルセコナゾール（quilseconazole）、オテセコナゾール（ＶＴ−１１６１）またはアイブレキサフンジェルプ（ＳＣＹ−０７８）から選ばれる抗真菌剤、であることを特徴とする、請求項１〜３のいずれか１項に記載のエマルション。
【請求項５】
抗真菌剤がクロトリマゾールであることを特徴とする、請求項１〜４のいずれか１項に記載のエマルション。
【請求項６】
ＮＳＡＩＤがジクロフェナクであり、エマルションに０．２〜０．４重量％の濃度範囲で含まれることを特徴とする、請求項１〜５のいずれか１項に記載のエマルション。
【請求項７】
エマルションのｐＨ範囲で活性な保存剤が含まれている、請求項１〜６のいずれか１項に記載のエマルション。
【請求項８】
保存剤が、フェノキシエタノールまたはプロピレングリコール、またはその２つの組み合わせである、請求項７に記載のエマルション。
【請求項９】
保存剤が、デカリニウム塩化物である、請求項７に記載のエマルション。
【請求項１０】
細菌に対して作用する抗生物質をさらに含み、抗生物質は、好ましくは、ホスホマイシン、クリンダマイシン、メトロニダゾール、ニトロフラントイン、ニトロフラゾン、ニトロフラントイン、ニフラテル、ニフロキサシン（nifuroxacin）、ニトロキソリン、トリメトプリム、スルファジアジン、または、コトリモキサゾールであることを特徴とする、請求項１〜９のいずれか１項に記載のエマルション。
【請求項１１】
防腐剤を、好ましくは即効性の抗微生物効果に十分な量で、さらに含み、防腐剤が、好ましくは第四級アンモニウム塩であることを特徴とする、請求項１〜１０のいずれか１項に記載のエマルション。
【請求項１２】
防腐剤が、好ましくは０．２重量％以上の濃度の、塩化ベンザルコニウム；好ましくは０．２重量％以上の濃度の、デカリニウム塩化物；および、好ましくは２重量％以上の濃度の、フェノキシエタノール、からなる群から選択されることを特徴とする、請求項１１に記載のエマルション。
【請求項１３】
膣真菌感染症、特に慢性膣真菌感染症の治療用の、請求項１〜１２のいずれか１項に記載のエマルション。
【請求項１４】
治療が局所治療であることを特徴とする、請求項１３に記載のエマルション。
【請求項１５】
膣真菌感染症が、カンジダ・アルビカンス、および、エンテロバクター、大腸菌、肺炎桿菌、ガードネレラ・バギナリス、およびプレボテラ属などの細菌による、混合膣感染症であることを特徴とする、請求項１３または１４に記載のエマルション。
【請求項１６】
膣真菌感染症が、カンジダ真菌症、特に外陰膣カンジダ症である、請求項１３〜１５のいずれか１項に記載のエマルション。
【請求項１７】
エマルションの製造中に、ＮＳＡＩＤを、水相を介して導入することを特徴とする、請求項１〜１２のいずれか１項に記載のエマルションの製造方法。
【請求項１８】
ＮＳＡＩＤを、抗真菌剤を含有するエマルションに、微結晶または微粒塩として導入することを特徴とする、請求項１〜１２のいずれか１項に記載のエマルションの製造方法。
【請求項１９】
ＮＳＡＩＤを、抗真菌剤を含有するエマルションに、ヒドロゲルを介して導入することを特徴とする、請求項１〜１２のいずれか１項に記載のエマルションの製造方法。
【請求項２０】
治療上有効な抗菌効果が得られる方法で物質を添加する、請求項１０〜１２のいずれか１項に記載のエマルションの製造方法。
【手続補正書】
【提出日】令和3年11月12日(2021.11.12)
【手続補正１】
【補正対象書類名】特許請求の範囲
【補正対象項目名】全文
【補正方法】変更
【補正の内容】
【特許請求の範囲】
【請求項１】
治療有効量の下記式（１）
【化１】
2021503010.tif 000001
（式中、Ｒ１及びＲ２が、それぞれ独立して、水素、ハロゲン、Ｃ１−Ｃ８アルキル、ハロＣ１−Ｃ８アルキル、Ｃ１−Ｃ８チオアルコキシ及びＣ１−Ｃ８アルコキシからなる群から選ばれ、Ａ１及びＡ２の一方はＣＨであり、他方はＮである。）で示されるカルバメート化合物、又はその薬学的に許容される塩、溶媒和物若しくは水和物を含む、欠神発作又は欠神発作を示すてんかんの予防、軽減又は治療のための医薬。
【請求項２】
Ｒ１及びＲ２が、それぞれ独立して、水素、ハロゲン及びＣ１−Ｃ８アルキルからなる群から選ばれることを特徴とする請求項１に記載の医薬。
【請求項３】
式（１）のカルバメート化合物が、下記式（２）
【化２】
2021503010.tif 000002
で示されるカルバミン酸（Ｒ）−１−（２−クロロフェニル）−２−テトラゾール−２−イル）エチルエステルであることを特徴とする請求項１に記載の医薬。
【請求項４】
欠神発作又は欠神発作を示すてんかんを患っている対象が、脳波記録（ＥＥＧ）において、棘・徐波発射（ＳＷＤ）を示すことを特徴とする請求項１に記載の医薬。
【請求項５】
欠神発作を示すてんかんが、小児欠神てんかん、ミオクロニー欠神てんかん、若年性欠神てんかん、若年性ミオクローヌスてんかん、ジーボンス症候群（欠神を伴う眼瞼ミオクロニー）、ファントム欠神を伴う遺伝性全般てんかん、及びレノックス・ガストー症候群からなる群から選ばれることを特徴とする請求項１に記載の医薬。
【請求項６】
欠神発作が、定型欠神発作であることを特徴とする医薬。
【請求項７】
欠神発作が、非定型欠神発作であることを特徴とする請求項１に記載の医薬。
【請求項８】
哺乳動物投与用に製造されることを特徴とする請求項１〜７のいずれか１項に記載の医薬。
【請求項９】
式（１）のカルバメート化合物の治療有効量が、遊離形で１日１回の投与に基づいて、５０ｍｇ〜５００ｍｇであることを特徴とする請求項１〜７のいずれか１項に記載の医薬。
【請求項１０】
治療有効量の下記式（１）
【化３】
2021503010.tif 000003
（式中、Ｒ１及びＲ２が、それぞれ独立して、水素、ハロゲン、Ｃ１−Ｃ８アルキル、ハロＣ１−Ｃ８アルキル、Ｃ１−Ｃ８チオアルコキシ及びＣ１−Ｃ８アルコキシからなる群から選ばれ、Ａ１及びＡ２の一方はＣＨであり、他方はＮである。）で示されるカルバメート化合物、又はその薬学的に許容される塩、溶媒和物若しくは水和物を含み、さらに薬学的に許容される担体を１種以上含む、欠神発作又は欠神発作を示すてんかんの予防、軽減又は治療のための医薬組成物。
【請求項１１】
Ｒ１及びＲ２が、それぞれ独立して、水素、ハロゲン及びＣ１−Ｃ８アルキルからなる群から選ばれることを特徴とする請求項１０に記載の医薬組成物。
【請求項１２】
式（１）のカルバメート化合物が、下記式（２）
【化４】
2021503010.tif 000004
で示されるカルバミン酸（Ｒ）−１−（２−クロロフェニル）−２−テトラゾール−２−イル）エチルエステルであることを特徴とする請求項１０に記載の医薬組成物。
【請求項１３】
欠神発作又は欠神発作を示すてんかんを患っている対象が、脳波記録（ＥＥＧ）において、棘・徐波発射（ＳＷＤ）を示すことを特徴とする請求項１０に記載の医薬組成物。
【請求項１４】
欠神発作を示すてんかんが、小児欠神てんかん、ミオクロニー欠神てんかん、若年性欠神てんかん、若年性ミオクローヌスてんかん、ジーボンス症候群（欠神を伴う眼瞼ミオクロニー）、ファントム欠神を伴う遺伝性全般てんかん、及びレノックス・ガストー症候群からなる群から選ばれることを特徴とする請求項１０に記載の医薬組成物。
【請求項１５】
欠神発作が定型欠神発作であることを特徴とする請求項１０に記載の医薬組成物。
【請求項１６】
欠神発作が非定型欠神発作であることを特徴とする請求項１０に記載の医薬組成物。
【請求項１７】
哺乳動物投与用に製造されることを特徴とする請求項１０〜１６のいずれか１項に記載の医薬組成物。
【請求項１８】
式（１）のカルバメート化合物の治療有効量が、遊離形で１日１回の投与に基づいて、５０ｍｇ〜５００ｍｇであることを特徴とする請求項１０〜１６のいずれか１項に記載の医薬組成物。
【請求項１９】
欠神発作又は欠神発作を示すてんかんの予防、軽減又は治療のための医薬を製造するための、下記式（１）
【化５】
2021503010.tif 000005
（式中、Ｒ１及びＲ２が、それぞれ独立して、水素、ハロゲン、Ｃ１−Ｃ８アルキル、ハロＣ１−Ｃ８アルキル、Ｃ１−Ｃ８チオアルコキシ及びＣ１−Ｃ８アルコキシからなる群から選ばれ、Ａ１及びＡ２の一方はＣＨであり、他方はＮである。）で示されるカルバメート化合物、又はその薬学的に許容される塩、溶媒和物若しくは水和物の使用。
【請求項２０】
Ｒ１及びＲ２が、それぞれ独立して、水素、ハロゲン及びＣ１−Ｃ８アルキルからなる群から選ばれることを特徴とする請求項１９に記載の使用。
【請求項２１】
式（１）のカルバメート化合物が、下記式（２）
【化６】
2021503010.tif 000006
で示されるカルバミン酸（Ｒ）−１−（２−クロロフェニル）−２−テトラゾール−２−イル）エチルエステルであることを特徴とする請求項１９に記載の使用。
【請求項２２】
欠神発作又は欠神発作を示すてんかんを患っている対象が、脳波記録（ＥＥＧ）において、棘・徐波発射（ＳＷＤ）を示すことを特徴とする請求項１９に記載の使用。
【請求項２３】
欠神発作を示すてんかんが、小児欠神てんかん、ミオクロニー欠神てんかん、若年性欠神てんかん、若年性ミオクローヌスてんかん、ジーボンス症候群（欠神を伴う眼瞼ミオクロニー）、ファントム欠神を伴う遺伝性全般てんかん、及びレノックス・ガストー症候群からなる群から選ばれることを特徴とする請求項１９に記載の使用。
【請求項２４】
欠神発作が定型欠神発作であることを特徴とする請求項１９に記載の使用。
【請求項２５】
欠神発作が非定型欠神発作であることを特徴とする請求項１９に記載の使用。
【請求項２６】
医薬が哺乳動物投与用であることを特徴とする請求項１９〜２５のいずれか１項に記載の使用。
【請求項２７】
式（１）のカルバメート化合物の治療有効量が、遊離形で１日１回の投与に基づいて、５０ｍｇ〜５００ｍｇであることを特徴とする請求項１９〜２５のいずれか１項に記載の使用。
【手続補正書】
【提出日】令和3年11月10日(2021.11.10)
【手続補正１】
【補正対象書類名】特許請求の範囲
【補正対象項目名】全文
【補正方法】変更
【補正の内容】
【特許請求の範囲】
【請求項１】
皮膚感染症および粘膜感染症、特に泌尿生殖器感染症の局所治療のためのエマルションであって、抗生物質および防腐剤から選択される抗微生物活性物質、およびＮＳＡＩＤが、組み合わせて用いられ、（ａ）ＮＳＡＩＤが、０．１〜０．５重量％の濃度のジクロフェナク、０．１〜０．４重量％の濃度のインドメタシン、１〜５重量％の濃度のナプロキセン、０．５〜２．５重量％の濃度のイブプロフェン、０．２５〜１．２５重量％の濃度のデキシブプロフェン、０．２５〜１．２５重量％の濃度のケトプロフェン、０．５〜４重量％の濃度のメフェナム酸、または、０．０２〜０．０４重量％の濃度のロルノキシカムであって、ＮＳＡＩＤが塩の形態で存在し、（ｂ）該エマルションにおける、油相に対する水相の重量比が、２．０〜２．７であり、および、（ｃ）エマルションのｐＨ値が、６．５〜８．５、好ましくは７．０〜８の範囲であることを特徴とする、エマルション。
【請求項２】
抗真菌活性物質をさらに含む、請求項１に記載のエマルション。
【請求項３】
軟膏、クリーム、シャンプー、溶液またはスティックの形態である、皮膚感染症の局所治療のための、請求項１または２に記載のエマルション。
【請求項４】
抗微生物活性物質が、抗生物質であることを特徴とする、請求項１〜３のいずれか１項に記載のエマルション。
【請求項５】
抗生物質が、ホスホマイシン、クリンダマイシン、メトロニダゾール、ニトロフラントイン、ニトロフラゾン、ニトロフラントイン、ニフラテル、ニフロキサシン（nifuroxacin）、ニトロキソリン、トリメトプリム、スルファジアジン、またはコトリモキサゾールであることを特徴とする、請求項４に記載のエマルション。
【請求項６】
抗微生物活性物質が、防腐剤であることを特徴とする、請求項１〜５のいずれか１項に記載のエマルション。
【請求項７】
防腐剤が、好ましくは０．２重量％以上の濃度の、塩化ベンザルコニウム；好ましくは０．２重量％以上の濃度の、デカリニウム塩化物；および、好ましくは２重量％以上の濃度の、フェノキシエタノール、からなる群から選択されることを特徴とする、請求項６に記載のエマルション。
【請求項８】
抗真菌活性物質が、ナイスタチン、シクロピロクスまたはシクロピロクスオラミン、または、アゾールの群、好ましくはクロトリマゾール、フルコナゾール、ミコナゾール、イトラコナゾール、チオコナゾール、ボリコナゾール、ビホナゾール、エコナゾール、イソコナゾール、フェンチコナゾール、セルタコナゾール、ケトコナゾール、ポサコナゾール、キルセコナゾール（quilseconazole）、オテセコナゾール（ＶＴ−１１６１）またはアイブレキサフンジェルプ（ＳＣＹ−０７８）から選ばれる抗真菌剤、であることを特徴とする、請求項２〜７のいずれか１項に記載のエマルション。
【請求項９】
ＮＳＡＩＤがジクロフェナクであり、エマルションに０．２〜０．４重量％の濃度範囲で含まれることを特徴とする、請求項１〜８のいずれか１項に記載のエマルション。
【請求項１０】
匂い物質、好ましくはテルペン、特にファルネソール、をさらに含むことを特徴とする、請求項１〜９のいずれか１項に記載のエマルション。
【請求項１１】
感染症の局所治療用の、特に皮膚および泌尿生殖器の感染症の局所治療用の、請求項１〜１０のいずれか１項に記載のエマルション。
【請求項１２】
感染症が、粘膜感染症、特に泌尿生殖器感染症であることを特徴とする、請求項１１に記載のエマルション。
【請求項１３】
感染症が、微生物泌尿生殖器感染症、特に女性の微生物泌尿生殖器感染症であることを特徴とする、請求項１１または１２に記載のエマルション。
【請求項１４】
微生物泌尿生殖器感染症が、細菌性泌尿生殖器感染症であることを特徴とする、請求項１３に記載のエマルション。
【請求項１５】
感染症が、カンジダ・アルビカンス、および、エンテロバクター、大腸菌、肺炎桿菌、ガードネレラ・バギナリス、またはプレボテラ属などの細菌による、混合膣感染症であることを特徴とする、請求項１１〜１４のいずれか１項に記載のエマルション。
【請求項１６】
感染症が、無症候性または症候性の細菌性膣炎、または、無症候性または症候性の、陰茎亀頭および／または男性の尿道の細菌叢異常であることを特徴とする、請求項１１〜１５のいずれか１項に記載のエマルション。
【請求項１７】
感染症が、慢性感染症であることを特徴とする、請求項１１〜１６のいずれか１項に記載のエマルション。
【請求項１８】
感染症が、皮膚真菌感染症、好ましくはカンジダ真菌症およびマラセチア真菌症であることを特徴とする、請求項１１に記載のエマルション。
【請求項１９】
感染症が、ニキビであることを特徴とする、請求項１１に記載のエマルション。
【請求項２０】
エマルションが、ニキビ用スティックに製剤化されていることを特徴とする、請求項１９に記載のエマルション。
【請求項２１】
女性の膀胱炎の局所治療用の、およびパートナーの局所治療（陰茎亀頭、尿道の最初の３分の１）のための、請求項１〜１０のいずれか１項に記載のエマルション。
【請求項２２】
脱毛の治療用の、好ましくはシャンプーである、請求項１〜１０のいずれか１項に記載のエマルション。
【請求項２３】
アトピー性皮膚炎の局所治療用の、請求項３〜１０のいずれか１項に記載のエマルション。
【請求項２４】
エマルションを製造するときに、ＮＳＡＩＤを、水相を介して導入することを特徴とする、請求項１〜１０のいずれか１項に記載のエマルションの製造方法。
【請求項２５】
ＮＳＡＩＤを、抗真菌剤を含有するエマルションに、微結晶または微粒塩として導入することを特徴とする、請求項２〜１０のいずれか１項に記載のエマルションの製造方法。
【手続補正書】
【提出日】令和3年11月8日(2021.11.8)
【手続補正１】
【補正対象書類名】特許請求の範囲
【補正対象項目名】全文
【補正方法】変更
【補正の内容】
【特許請求の範囲】
【請求項１】
防汚コーティング組成物であって、
（Ａ）
（ｉ）      トリイソプロピルシリルメタクリレートモノマーを含む３０質量％から８０質量％のシリルエステル共重合体と、
（ｉｉ）    ２０質量％から５５質量％のモノカルボン酸またはその誘導体と、
（ｉｉｉ）  ２５℃未満のガラス転移温度（Ｔｇ）を有する５質量％から２０質量％のアクリル共重合体と
を含むバインダーであって、成分（ｉ）と成分（ｉｉｉ）が異なるバインダー、および
（Ｂ）トラロピリル
を含む、組成物。
【請求項２】
前記シリルエステル共重合体（ｉ）が、３０質量％から７０質量％の量で存在する、請求項１に記載の防汚コーティング組成物。
【請求項３】
前記シリルエステル共重合体（ｉ）が、少なくとも１つの親水性モノマーをさらに含む、請求項１または２に記載の防汚コーティング組成物。
【請求項４】
前記シリルエステル共重合体が、モノマーとして：
（ａ）トリイソプロピルシリルメタクリレートと、
（ｂ）式（Ｉ）
【化１】
2021503027.tif 000001
（式中、Ｒ１は、水素またはメチル基であり、Ｒ２は、環状エーテルであり、Ｘは、Ｃ１−Ｃ４アルキレン基である。）の化合物および／または式（ＩＩ）
【化２】
2021503027.tif 000002
（式中、Ｒ３は、水素またはメチル基であり、Ｒ４は、少なくとも１つの酸素原子または窒素原子を有するＣ３−Ｃ１８置換基である。）の化合物である。）の化合物と、任意に
（ｃ）式（ＩＩＩ）
【化３】
2021503027.tif 000003
（式中、Ｒ５は、水素またはメチル基であり、Ｒ６は、Ｃ１−Ｃ８ヒドロカルビル基である。）の１つ以上のモノマーと
を含む、請求項３に記載の防汚コーティング組成物。
【請求項５】
式（ＩＩ）で、Ｒ４が、式−（ＣＨ２ＣＨ２Ｏ）ｍ−Ｒ７（式中、Ｒ７は、Ｃ１−Ｃ１０アルキルまたはＣ６−Ｃ１０アリール置換基であり、ｍは、１から６の範囲の整数である。）の基である、請求項４に記載の防汚コーティング組成物。
【請求項６】
Ｒ４が、式−（ＣＨ２ＣＨ２Ｏ）ｍ−７（式中、Ｒ７は、Ｃ１−Ｃ１０アルキル置換基であり、ｍは、１から３の範囲の整数である。）の基である、請求項５に記載の防汚コーティング組成物。
【請求項７】
成分（ｂ）が、２−−メトキシエチルアクリレート、２−メトキシエチルメタクリレート、２−エトキシエチルメタクリレート、２−（２−エトキシエトキシ）エチルアクリレート、２−（２−エトキシエトキシ）エチルメタクリレート、テトラヒドロフルフリルアクリレート、およびテトラヒドロフルフリルメタクリレートの１つ以上を含む、請求項４から６のいずれか一項に記載の防汚コーティング組成物。
【請求項８】
前記アクリル共重合体（ｉｉｉ）が、アクリル共重合体の総質量に基づいて、０．５質量％から１０質量％のカルボン酸含有モノマーを含む、請求項１から請求項７のいずれか一項に記載の防汚コーティング組成物。
【請求項９】
前記アクリル共重合体（ｉｉｉ）が、モノマーとして：
ａ）式（ＩＶ）
【化４】
2021503027.tif 000004
（式中、Ｒ８は、水素またはメチル基であり、Ｒ９は、Ｃ１−Ｃ２０ヒドロカルビル置換基である。）の少なくとも１つの（メタ）アクリレートと、
ｂ）アクリル共重合体の総質量に基づいて、少なくとも１つの０．５質量％から１０質量％のカルボン酸含有モノマーと
を含む、請求項１から請求項８のいずれか一項に記載の防汚コーティング組成物。
【請求項１０】
前記モノカルボン酸またはその誘導体（ｉｉ）がガムロジンである、請求項１から請求項９のいずれか一項に記載の防汚コーティング組成物。
【請求項１１】
亜鉛ピリチオン、銅ピリチオン、ジネブおよび４，５−ジクロロ−２−オクチル−４−イソチアゾリン−３−オンから選択される１つ以上の殺生物剤をさらに含む、請求項１から請求項１０のいずれか一項に記載の防汚コーティング組成物。
【請求項１２】
防汚コーティング組成物の総質量に基づいて、２質量％から４０質量％（乾燥固形物）のシリルエステル共重合体（ｉ）を含む、請求項１から請求項１１のいずれか一項に記載の防汚コーティング組成物。
【請求項１３】
防汚コーティング組成物の総質量に基づいて、２質量％から３０質量％（乾燥固形物）のモノカルボン酸（ｉｉ）を含む、請求項１から請求項１２のいずれか一項に記載の防汚コーティング組成物。
【請求項１４】
防汚コーティング組成物の総質量に基づいて、１．０質量％から１５質量％（乾燥固形物）のアクリル共重合体（ｉｉｉ）を含む、請求項１から請求項１３のいずれか一項に記載の防汚コーティング組成物。
【請求項１５】
前記コーティング組成物が、０．２質量％未満の無機防汚銅化合物を含む、請求項１から請求項１４のいずれか一項に記載の防汚コーティング組成物。
【請求項１６】
物体を汚損から保護する方法であって、前記方法が、汚損を受ける前記物体の少なくとも一部を請求項１から１５のいずれか一項に記載の防汚コーティング組成物でコーティングする工程を含む、方法。
【請求項１７】
請求項１から請求項１５のいずれか一項に記載の防汚コーティング組成物でコーティングした物体。
【請求項１８】
Ｒ２は、オキソラン、オキサン、ジオキソラン、任意に置換されたジオキサンである、請求項４に記載の防汚コーティング組成物。
【手続補正書】
【提出日】令和3年11月8日(2021.11.8)
【手続補正１】
【補正対象書類名】特許請求の範囲
【補正対象項目名】全文
【補正方法】変更
【補正の内容】
【特許請求の範囲】
【請求項１】
海洋防汚コーティング組成物であって、
（ｉ）（メタ）アクリレートおよび／またはシリル（メタ）アクリレートモノマーを含む少なくとも１つのポリマーを含むアクリルバインダーと、
（ｉｉ）１つ以上のロジンまたはその誘導体と、
（ｉｉｉ）１つ以上の海洋防汚剤と、
（ｉｖ）液体の非環式飽和Ｃ１２−Ｃ２４モノカルボン酸あるいはその塩または、液体の非環式分岐Ｃ１２−Ｃ２４モノカルボン酸あるいはその塩から選択される１つ以上のモノカルボン酸あるいはその塩と、
を含む組成物。
【請求項２】
成分（ｉｖ）が、組成物の０．５質量％から１０質量％の量で存在する、請求項１に記載の海洋防汚コーティング組成物。
【請求項３】
前記モノカルボン酸が、１４−２０の炭素原子を含む、請求項１から２のいずれか一項に記載の海洋防汚コーティング組成物。
【請求項４】
前記モノカルボン酸成分（ｉｖ）の分岐度が７０％よりも大きい、請求項１から３のいずれか一項に記載の海洋防汚コーティング組成物。
【請求項５】
前記モノカルボン酸が、イソパルミチン酸またはイソステアリン酸を含む、請求項１から４のいずれか一項に記載の海洋防汚コーティング組成物。
【請求項６】
乾燥質量に基づく（ｉｉ）：（ｉｖ）の比が、９０：１０から４０：６０の範囲にある、請求項１から５のいずれか一項に記載の海洋防汚コーティング組成物。
【請求項７】
前記ロジンが、ガムロジンまたはその誘導体である、請求項１から６のいずれか一項に記載の海洋防汚コーティング組成物。
【請求項８】
成分（ｉｉ）が、組成物の０．２５質量％から２０質量％の量で存在する、請求項１から７のいずれか一項に記載の海洋防汚コーティング組成物。
【請求項９】
前記アクリルバインダー成分（ｉ）が、少なくとも１つの以下のモノマー：（メタ）アクリル酸、メチルメタクリレート、２−メトキシエチル（メタ）アクリレート、ｎ−ブチル（メタ）アクリレート、２−（２−エトキシエトキシ）エチル（メタ）アクリレート、テトラヒドロフルフリルアクリレートおよびトリイソプロピルシリル（メタ）アクリレートの残基を含む少なくとも１つのポリマーを含む、請求項１から８のいずれか一項に記載の海洋防汚コーティング組成物。
【請求項１０】
成分（ｉ）が、組成物の０．５質量％から２０質量％の量で存在する、請求項１から９のいずれか一項に記載の海洋防汚コーティング組成物。
【請求項１１】
前記海洋防汚剤（ｉｉｉ）が、酸化第一銅、銅ピリチオンまたはエチレンビス(ジチオカルバミド酸)亜鉛の少なくとも１つを含む、請求項１から１０のいずれか一項に記載の海洋防汚コーティング組成物。
【請求項１２】
前記組成物が、４００ｇ／Ｌ未満のＶＯＣを有する、請求項１から１１のいずれか一項に記載の海洋防汚コーティング組成物。
【請求項１３】
請求項１から１２のいずれか一項に記載の海洋防汚コーティング組成物を基材に塗布する工程を含む方法。
【請求項１４】
請求項１から１２のいずれか一項に記載の海洋防汚コーティング組成物でコーティングした基材。
【請求項１５】
（ｉ）（メタ）アクリレートおよび／またはシリル（メタ）アクリレートモノマーを含む少なくとも１つのポリマーを含むアクリルバインダーと、
（ｉｉ）ロジンおよび／またはその誘導体と、
（ｉｉｉ）海洋防汚剤と、
を含む海洋防汚コーティング組成物中の溶脱層の厚さを減少させるための請求項１から１２のいずれか一項に記載の液体の非環式飽和Ｃ１２−Ｃ２４モノカルボン酸あるいはその塩または、液体の非環式分岐Ｃ１２−Ｃ２４モノカルボン酸あるいはその塩から選択される１つ以上のモノカルボン酸の使用。
【手続補正書】
【提出日】令和3年11月9日(2021.11.9)
【手続補正１】
【補正対象書類名】特許請求の範囲
【補正対象項目名】全文
【補正方法】変更
【補正の内容】
【特許請求の範囲】
【請求項１】
患者において骨髄移植を行う方法で使用するための、シクロホスファミド耐性の修飾された細胞の集団を含む医薬組成物であって、前記患者は、非骨髄破壊的な少なくとも１用量の化学療法薬が投与される、前記医薬組成物。
【請求項２】
シクロホスファミド耐性の修飾された細胞の集団は、アルデヒドデヒドロゲナーゼ１（ＡＬＤＨ１）をコードする異種遺伝子を含む、請求項１に記載の医薬組成物。
【請求項３】
シクロホスファミド耐性の修飾された細胞の集団はＡＬＤＨ１を発現する、請求項１に記載の医薬組成物。
【請求項４】
シクロホスファミド耐性の修飾された細胞のシクロホスファミド耐性は、アルデヒドデヒドロゲナーゼ１（ＡＬＤＨ１）の発現によって付与される、請求項１に記載の医薬組成物。
【請求項５】
患者はＨＩＶを有する、請求項１に記載の医薬組成物。
【請求項６】
細胞は幹細胞または免疫細胞である、請求項１に記載の医薬組成物。
【請求項７】
幹細胞は、胎性幹細胞、臍帯血由来の幹細胞、造血幹細胞（ＨＳＣ）、多能性幹細胞（ＰＳＣ）、人工ＰＳＣ（ｉＰＳＣ）、胚性幹細胞（ＥＳＣ）、または、ＣＤ３４＋細胞、ＣＤ９０＋細胞、ＣＤ４５＋細胞、ＣＤ１７＋細胞、ＣＤ４５ＲＡ−細胞、ＣＤ３８−などの、これらに由来する細胞、またはこれらのあらゆる組み合わせである、請求項６に記載の医薬組成物。
【請求項８】
免疫細胞はＴ細胞である、請求項６に記載の医薬組成物。
【請求項９】
修飾された細胞は、患者にとって自家である、患者にとって同種である、またはこれらの組み合わせである、請求項１に記載の医薬組成物。
【請求項１０】
方法は、未修飾の細胞を、ＡＬＤＨ１の発現をコードする発現ベクターと接触させて、シクロホスファミド耐性の修飾された細胞の集団を生産することをさらに含む、請求項１に記載の医薬組成物。
【請求項１１】
発現ベクターはウイルスベクターまたは非ウイルスベクターである、請求項１０に記載の医薬組成物。
【請求項１２】
ウイルスベクターはレンチウイルスベクターまたはアデノウイルスベクターである、請求項１１に記載の医薬組成物。
【請求項１３】
発現ベクターは、レトロウイルス、トランスポゾン、エピソーム性の発現ベクター、修飾されたＲＮＡ、プラスミド、またはこれらのあらゆる組み合わせである、請求項１０に記載の医薬組成物。
【請求項１４】
化学療法剤の非骨髄破壊的な少なくとも１用量は、シクロホスファミドの非骨髄破壊的な用量である、請求項１に記載の医薬組成物。
【請求項１５】
シクロホスファミドの非骨髄破壊的な用量は、約０．１６ｍｇ／ｋｇ／日から２．５ｍｇ／ｋｇ／日未満、約０．４１ｍｇ／ｋｇ／日から約１．６３ｍｇ／ｋｇ／日、または約０．８１ｍｇ／ｋｇ／日から約１．４６ｍｇ／ｋｇ／日である、請求項１４に記載の医薬組成物。
【請求項１６】
シクロホスファミドの非骨髄破壊的な用量は、約１．３ｍｇ／ｋｇ／日である、請求項１４に記載の医薬組成物。
【請求項１７】
シクロホスファミド耐性の修飾された細胞の集団は、患者に、臨床的に関連する貧血、好中球減少、血小板減少、汎血球減少、低血小板、低白血球、またはこれらのあらゆる組み合わせもしくは関連する症状を経験させることはない、請求項１に記載の医薬組成物。
【請求項１８】
修飾された細胞はＨＩＶ感染に対して耐性である、請求項１に記載の医薬組成物。
【請求項１９】
修飾された細胞は、ＨＩＶ感染に対して耐性の少なくとも１つのＨＩＶ共受容体の突然変異、少なくとも１つのＨＩＶ共受容体の１つの突然変異もしくは複数の突然変異、少なくとも１つのＨＩＶ融合阻害剤、ＨＩＶ共受容体の発現を低減させる分子、またはこれらのあらゆる組み合わせを異種発現する、請求項１８に記載の医薬組成物。
【請求項２０】
修飾された細胞は、ｓｈＣＣＲ５、ｓｈＣＸＣＲ４、Ｃ−ペプチド融合阻害剤、またはこれらのあらゆる組み合わせを異種発現する、請求項１８に記載の医薬組成物。
【請求項２１】
修飾された細胞はＨＩＶ共受容体を発現しない、請求項１８に記載の医薬組成物。
【請求項２２】
修飾された細胞は、ＣＣＲ５、ＣＸＣＲ４を発現しないか、またはＣＣＲ５−Δ３２を発現するか、またはこれらの組み合わせである、請求項１８に記載の医薬組成物。
【請求項２３】
ＡＬＤＨ１、ならびに
ｉ）少なくとも１つのＨＩＶ共受容体突然変異体、少なくとも１つのＨＩＶ共受容体の１つの突然変異もしくは複数の突然変異、少なくとも１つのＨＩＶ融合阻害剤、ＨＩＶ共受容体の発現を低減させる分子、もしくはこれらのあらゆる組み合わせをコードする異種ヌクレオチド分子；および／またはｉｉ）内因性のＨＩＶ共受容体の突然変異もしくは欠失の１つ
の発現をコードする異種ヌクレオチド分子を含む細胞。
【請求項２４】
細胞は、
ｉ．ＣＣＲ５の発現を低減させる分子をコードする；
ｉｉ．ＣＸＣＲ４の発現を低減させる分子をコードする；
ｉｉｉ．Ｃ−ペプチド融合阻害剤の発現をコードする；
ｉｖ．１、３、６、７、８、９、１２、１３、１４、１６、１８、もしくはこれらのあらゆる組み合わせの配列を含む；
ｖ．配列番号１０、１１、６、７、１３、１５、１７、１９、もしくはこれらのあらゆる組み合わせの配列をコードする；
またはこれらのあらゆる組み合わせである
異種ヌクレオチド配列を含む、請求項２３に記載の細胞。
【請求項２５】
ｓｈＣＣＲ５、ｓｈＣＸＣＲ４、および／またはＣ４４などのＣ−ペプチド融合阻害剤を発現する、請求項２３に記載の細胞。
【請求項２６】
非ウイルス遺伝子移入系を用いて、異種ヌクレオチド配列を発現するように修飾されている、請求項２３に記載の細胞。
【請求項２７】
非ウイルス遺伝子移入系はトランスポゾン遺伝子移入系である、請求項２６に記載の細胞。
【請求項２８】
トランスポゾン遺伝子移入系は、Ｓｌｅｅｐｉｎｇ  Ｂｅａｕｔｙ遺伝子移入系またはＰｉｇｇｙＢａｃトランスポゾン遺伝子移入系である、請求項２３に記載の細胞。
【請求項２９】
配列番号４の異種核酸配列を含む、請求項２３に記載の細胞。
【請求項３０】
請求項２３に記載の１つまたはそれ以上の細胞を含む医薬組成物。
【請求項３１】
対象において目的の分子を発現させる方法で使用するための、ＡＬＤＨ１および目的の分子を異種発現する細胞を含む医薬組成物であって、前記方法は、前記細胞を対象に投与すること；および非骨髄破壊的な用量のシクロホスファミドを投与することを含む、前記医薬組成物。
【請求項３２】
細胞は、ＣＤ３４＋および／またはＣＤ４＋である、請求項３１に記載の医薬組成物。
【手続補正書】
【提出日】令和3年11月11日(2021.11.11)
【手続補正１】
【補正対象書類名】特許請求の範囲
【補正対象項目名】全文
【補正方法】変更
【補正の内容】
【特許請求の範囲】
【請求項１】
以下を含む、野生型ノロウイルスＶＰ１タンパク質のアミノ酸配列に由来するアミノ酸配列を含む、改変されたノロウイルスＶＰ１タンパク質、
ノロウイルスＶＰ１遺伝子型ＧＩ．１（配列番号１）とアラインメントされた配列におけるアミノ酸４３、５７、８４及び９４のアミノ酸から選択された位置における、１つもしくは２つ以上の、野生型ノロウイルスＶＰ１のアミノ酸の置換、及び
前記野生型ノロウイルスＶＰ１タンパク質は遺伝子型ＧＩ．１ではない。
【請求項２】
野生型ノロウイルスＶＰ１が、遺伝子型ＧＩ．３．ＧＩ．５、ＧＩ．７、ＧＩＩ．２、ＧＩＩ．３、ＧＩＩ．４、ＧＩＩ．６、ＧＩＩ．１２及びＧＩＩ．１７からなる群から選択される、請求項１に記載の、改変されたノロウイルスＶＰ１タンパク質。
【請求項３】
アラインメントされた配列内の位置でのアミノ酸４３との１つ又は複数の置換が、バリン、イソロイシン、ロイシン、メチオニン、スレオニン、アスパラギン酸、グルタミン酸、アスパラギン、グルタミン、リジン又はヒスチジンへのものである；
アラインメントされた配列内の位置でのアミノ酸５７との１つ又は複数の置換が、イソロイシン、ロイシン、バリン、アラニン、グリシン、セリン、スレオニン、アスパラギン、グルタミン、リジン又はヒスチジンへのものである；
アラインメントされた配列内の位置でのアミノ酸８４との１つ又は複数の置換が、セリン、アスパラギン、システイン、スレオニン、アラニン、リジン又はヒスチジンへのものである；及び／又は
アラインメントされた配列内の位置でのアミノ酸９４との１つ又は複数の置換が、ロイシン、イソロイシン、メチオニン、バリン、スレオニン、アスパラギン酸、グルタミン酸、アスパラギン、グルタミン、リジン、又はヒスチジンへのものである、
請求項１又は２に記載の改変されたノロウイルスＶＰ１タンパク質。
【請求項４】
請求項１〜３のいずれかに記載の改変されたノロウイルスＶＰ１タンパク質をコードする組換えポリヌクレオチド。
【請求項５】
ヌクレオチド配列のコドン使用頻度が、ヒトコドン使用頻度、ＧＣ含量の増加、又はそれらの組合せに対して最適化される、及び／又はポリヌクレオチドがベクターを含む、請求項４に記載の組換えポリヌクレオチド。
【請求項６】
請求項１〜３のいずれかに記載のノロウイルスＶＰ１を含むウイルス様粒子（ＶＬＰ）。
【請求項７】
ノロウイルスＶＰ２タンパク質をさらに含む、請求項６に記載のＶＬＰ。
【請求項８】
以下を含む、植物、植物の一部、又は植物細胞内でノロウイルスＶＰ１タンパク質、又は前記ノロウイルスＶＰ１タンパク質を含むＶＰ１を産生する方法：
請求項４又は５に記載の組換えポリヌクレオチドを植物、植物の一部、又は植物細胞に導入することと、
前記ノロウイルスＶＰ１タンパク質の発現を可能にする条件下で、前記植物、前記植物の一部、又は前記植物細胞をインキュベートすること。
【請求項９】
導入する工程において、ノロウイルスＶＰ２タンパク質をコードする第２のポリヌクレオチドが、植物、植物の一部、又は植物細胞に導入され、
インキュベートする工程では、条件が、前記植物、前記植物の一部、又は前記植物細胞内でのノロウイルスＶＰ１タンパク質及び前記ノロウイルスＶＰ２タンパク質の両方の共発現及び共産生を可能にする、
請求項８に記載の方法。
【請求項１０】
植物、植物の一部、又は植物細胞を収穫する工程をさらに含む、請求項８又は９に記載の方法。
【請求項１１】
植物、植物の一部、又は植物細胞から、ノロウイルスＶＰ１タンパク質、もしくはノロウイルスＶＰ１タンパク質及びノロウイルスＶＰ２タンパク質の両方を抽出する工程、精製する工程、もしくは抽出及び精製する工程、をさらに含むか、又は
植物、植物の一部、もしくは植物細胞から、ウイルス様粒子（ＶＬＰ）を抽出する工程、精製する工程、もしくは抽出及び精製する工程、ただし前記ＶＬＰは、ノロウイルスＶＰ１タンパク質、もしくはノロウイルスＶＰ１タンパク質及びノロウイルスＶＰ２タンパク質の両方を含むウイルス様粒子（ＶＬＰ）である、をさらに含む、
請求項１０に記載の方法。
【請求項１２】
請求項１〜３のいずれかに記載のノロウイルスＶＰ１タンパク質を含む植物、植物の一部、もしくは植物細胞、
請求項４もしくは５に記載の組換えポリヌクレオチド、又は
請求項６もしくは７に記載のＶＬＰ。
【請求項１３】
請求項１〜３のいずれかに記載のノロウイルスＶＰ１タンパク質又は請求項６もしくは７に記載のＶＬＰの有効用量、及び薬学的に許容される担体、アジュバント、ビヒクル又は賦形剤を含む、免疫応答を誘発するための組成物。
【請求項１４】
免疫応答を誘発するための、請求項１〜３のいずれかに記載のノロウイルスＶＰ１タンパク質又は請求項６もしくは７に記載のＶＬＰの有効用量を含むワクチン。
【請求項１５】
請求項１〜３のいずれかに記載のノロウイルスＶＰ１タンパク質に結合するか、又は請求項６もしくは７に記載のＶＬＰに結合する、抗体又は抗体断片。
【請求項１６】
対象におけるノロウイルス感染に対する免疫の誘発における使用のための、請求項１〜３のいずれかに記載のノロウイルスＶＰ１タンパク質又は請求項６もしくは７に記載のＶＬＰ。
【請求項１７】
請求項１６に記載の使用のためのＶＰ１タンパク質又はＶＬＰであって、該ＶＰ１タンパク質又はＶＬＰが、対象、に経口投与鼻腔内投与、筋肉内投与、腹腔内投与、静脈内投与、皮下投与、直腸内投与又は膣内投与される、前記Ｐ１タンパク質又はＶＬＰ。
【手続補正書】
【提出日】令和3年11月12日(2021.11.12)
【手続補正１】
【補正対象書類名】特許請求の範囲
【補正対象項目名】全文
【補正方法】変更
【補正の内容】
【特許請求の範囲】
【請求項１】
3体以上の異なるドナーからの3種以上の造血幹細胞、間葉系幹細胞、筋原細胞、周皮細胞、衛星細胞、またはそれらの組み合わせのex vivo融合体を含む、マルチキメラ細胞。
【請求項２】
造血幹細胞と、独立して、造血幹細胞および間葉系幹細胞から選択される2種以上の細胞とのex vivo融合体からなる、請求項1に記載のマルチキメラ細胞。
【請求項３】
造血幹細胞が、骨髄、臍帯血、末梢血、またはそれらの組み合わせから単離されたものである、請求項1に記載のマルチキメラ細胞。
【請求項４】
ドナー同士が、血縁関係にあるか、血縁関係にないか、またはそれらの組み合わせである、請求項1に記載のマルチキメラ細胞。
【請求項５】
造血幹細胞と、独立して、造血幹細胞、間葉系幹細胞、および周皮細胞から選択される2種以上の細胞とのex vivo融合体からなる、請求項1に記載のマルチキメラ細胞。
【請求項６】
造血幹細胞、間葉系幹細胞、および周皮細胞のex vivo融合体からなる、請求項5に記載のマルチキメラ細胞。
【請求項７】
3種の造血幹細胞のex vivo融合体からなる、請求項5に記載のマルチキメラ細胞。
【請求項８】
筋原細胞と、独立して、間葉系幹細胞、筋原細胞、および衛星細胞から選択される2種の細胞とのex vivo融合体からなる、請求項1に記載のマルチキメラ細胞。
【請求項９】
筋原細胞、間葉系幹、および衛星細胞のex vivo融合体からなる、請求項8に記載のマルチキメラ細胞。
【請求項１０】
3種の筋芽細胞のex vivo融合体からなる、請求項8に記載のマルチキメラ細胞。
【請求項１１】
免疫不全または遺伝性障害を処置するための、請求項1に記載のマルチキメラ細胞の有効量を含有する組成物。
【請求項１２】
組成物が、骨内の、静脈内の、または筋肉内の注射によって投与される、請求項11に記載の組成物。
【請求項１３】
免疫不全または遺伝性障害が、骨髄不全、アデノシンデアミナーゼ(ADA)欠損症、重症複合免疫不全症(SCID)、ディジョージ症候群、毛細血管拡張性運動失調症、筋ジストロフィー、I型糖尿病、ゴーシェ病、白血病、再生不良性貧血、鎌状赤血球貧血、リンパ腫、および多発性骨髄腫から選択される、請求項11に記載の組成物。
【請求項１４】
遺伝性障害が、筋ジストロフィーである、請求項11に記載の組成物。
【請求項１５】
マルチキメラ細胞が、筋原細胞と、独立して、間葉系幹細胞、筋原細胞、および衛星細胞から選択される2種以上の細胞とのex vivo融合体を含む、請求項14に記載の組成物。
【請求項１６】
免疫不全または遺伝性障害が、鎌状赤血球貧血である、請求項11に記載の組成物。
【請求項１７】
マルチキメラ細胞が、造血幹細胞と、独立して、造血幹細胞および間葉系幹細胞から選択される2種以上の細胞とのex vivo融合体を含む、請求項16に記載の組成物。
【請求項１８】
同種異系間の造血幹細胞移植もしくは臓器移植を受けている対象においてGvHDの発症を予防するかまたはGvHDの重症度を低減するための、請求項1に記載のマルチキメラ細胞の有効量を含有する組成物。
【請求項１９】
マルチキメラ細胞が、造血幹細胞と、独立して、造血幹細胞および間葉系幹細胞から選択される2種以上の細胞とのex vivo融合体を含む、請求項18に記載の組成物。
【請求項２０】
（a）膜融合剤、および
（b）3体以上の異なるドナーからの造血幹細胞、間葉系幹細胞、筋原細胞、周皮細胞、衛星細胞の群から選択される3種以上のドナー細胞
を含む、キット。
【手続補正書】
【提出日】令和3年5月27日(2021.5.27)
【手続補正１】
【補正対象書類名】特許請求の範囲
【補正対象項目名】全文
【補正方法】変更
【補正の内容】
【特許請求の範囲】
【請求項１】
特に動物の食品としての価値を高めるための亜麻種子(アマ(Linum usitatissimum))の処理方法であって、以下の連続工程を含むことを特徴とする方法：
a)次の条件の亜麻種子を使用する工程
（ここに次の条件とは、亜麻種子におけるシアン化水素酸含有量が、原料物質1kgあたり250mgよりも低く、
亜麻種子における脂肪および／またはオメガ-3脂肪酸含有量が下表に示される値を超え、
【表１】
2021503944.tif 000001
さらに、該種子が単胃動物種の飼料を目的とする場合に限り、保水力の値または粘液含有量、ならびに粗セルロースおよび/または中性デタージェント繊維(NDF)含有量が下表に示される値よりも低い
【表２】
2021503944.tif 000002
）；
b)性質および/または品質の異なる少なくとも2つの原料物質がある場合、工程a)から得られた種子を混合し、次いで種子の皮および種核(または仁)が破壊されるまで、分画するか、または分画し、次いで混合する工程；
c)工程b)から得られた種子を蒸気および／または水性液体を用いて、30〜90℃の間の温度および10％を超える湿度、好ましくは15％湿度に達するまで、熱準備を実施する工程であり、準備する時間は2分間以上、好ましくは15分間である工程；
d)工程c)から得られた種子または混合物を、80℃を超える温度、好ましくは100℃〜150℃の温度に達するまで、10バールの最低圧力で10秒以上加圧する工程；および／または
d1)工程d)または工程c)から得られた種子または混合物を、80℃を超える温度、好ましくは90〜150℃の温度まで、少なくとも15分間、好ましくは30分間〜2時間加熱する工程。
【請求項２】
熱準備工程c)は、アラビノフラノシダーゼ、β-グルカナーゼ、セルラーゼ、グルコアミラーゼ、ペクチナーゼ、ペクチンメチルエステラーゼ、フィターゼ、プロテアーゼ、キシラナーゼ、および好ましくは、キシラナーゼ、β-グルカナーゼおよびペクチナーゼからなる群から選択される少なくとも１つの外因性酵素の存在下で実施し、該外因性酵素は、種子または混合物に予め添加しておくことを特徴とする、請求項1に記載の方法。
【請求項３】
熱準備工程c)において、外因性酵素の存在下、湿度を15％超、好ましくは25％のレベルに設定し、準備を、少なくとも15分、好ましくは60分間続行させることを特徴とする、請求項2に記載の方法。
【請求項４】
熱準備工程の実施中に、混合物を攪拌することを特徴とする、請求項1に記載の方法。
【請求項５】
混合し、次いで分画を行う場合、その分画の後に新たな混合を行うことを特徴とする、請求項1〜4のいずれか一項に記載の方法。
【請求項６】
分画を、種子の少なくとも90％が2000マイクロメートル未満、好ましくは1500マイクロメートル未満の粒径になるまで継続することを特徴とする、請求項1〜5のいずれか一項に記載の方法。
【請求項７】
工程d)、工程d1)それぞれは、種子のHCN含有量が下表に示される値よりも小さく、かつAF含有量が下表に示される値を超えるときに中断することを特徴とする、請求項1〜6のいずれか一項に記載の方法：
【表３】
2021503944.tif 000003
。
【請求項８】
工程a)の後、またはその前に、径、重量、形状、密度、空気力学的パラメータ、比色パラメータまたは静電気的パラメータの中から選択される基準に従って種子を分類することを特徴とする、請求項1〜7のいずれか一項に記載の方法。
【請求項９】
工程a)の後、種子を脱コーティングし、画分のうちの1つまたは他の画分を使用し、その場合、好ましくは、脱コーティングは、いわゆる種核の画分中、少なくとも3％、好ましくは少なくとも5％の脂肪濃度によって特徴付けられることを特徴とする、請求項1〜8のいずれか一項に記載の方法。
【請求項１０】
工程a)または工程b)の後、種子を、丸ごとまたは脱コーティングして破砕し、得られたケーキを使用し、その場合、好ましくは該ケーキが少なくとも8％の脂肪を含有することを特徴とする、請求項1〜9のいずれか一項に記載の方法。
【請求項１１】
タンパク質が豊富な種子、穀類、穀類およびタンパク質副産物、単炭水化物および複合炭水化物の供給源、油糧種子ケーキ、および他の油糧種子副産物からなる群から選択される少なくとも１つの他の原料物質を亜麻種子と混合することを特徴とする、請求項1〜10のいずれか一項に記載の方法。
【請求項１２】
少なくとも1つの上記工程の実施中、少なくとも1つの抗酸化物質を種子に添加することを特徴とする、請求項1〜11のいずれか一項に記載の方法。
【請求項１３】
工程d)、d1)それぞれを実施した後に、種子を冷却する工程を含むことを特徴とする、請求項1〜12のいずれか一項に記載の方法。
【請求項１４】
種子を最終的に包装し、輸送し、そして暗所に保管することを特徴とする、請求項1〜13のいずれか一項に記載の方法。
【請求項１５】
種子を、少なくとも部分的に真空下で、または少なくとも空気を不活性ガスで部分的に置換することにより、最終的に包装することを特徴とする、請求項1〜14のいずれか一項に記載の方法。
【手続補正書】
【提出日】令和2年12月23日(2020.12.23)
【手続補正１】
【補正対象書類名】明細書
【補正対象項目名】０４９２
【補正方法】変更
【補正の内容】
【０４９２】
（実験例２−３）ｓｉＲＮＡ複合体のサル血漿における安定性
他の実験において、実験例２−２と同じ方法により複合体１、複合体２及び比較配列１のサル血漿（Ｍｏｎｋｅｙ  ｐｌａｓｍａ、鴻泉生物から購入、ＨＱ７００８２、ＰＢＳで希釈）における安定性を検出した。結果を図５に示した。